(57)【要約】【課題】施工性に優れ、かつ樹立する各角材の間隔を一定に保持し、出来上がりをスマートに、デザイン的にも優れた塀又は柵を簡易に築造できる角材を連結樹立してなる塀を提供すること。【解決手段】角材よりなる塀部材１を、築造する塀ラインに沿って自立するようその下部を地中に埋設して所定間隔で配列配設し、この配列する各塀部材１，１の配列角度を塀築造ラインに対して所定角度旋回させるとともに、互いに隣接する塀部材１，１間を連結部材３にて連結固定して構成したことを特徴とする。【選択図】　図１
2004076543.tif 000002
【特許請求の範囲】
【請求項１】
角材よりなる塀部材を、築造する塀ラインに沿って自立するようその下部を地中に埋設して所定間隔で配列配設し、この配列する各塀部材の配列角度を塀築造ラインに対して所定角度旋回させるとともに、互いに隣接する塀部材間を連結部材にて連結固定して構成したことを特徴とする角材を連結樹立してなる塀。
【請求項２】
塀部材に、枕木を使用し、縦方向に半割、もしくは四つ割りとしたことを特徴とする請求項１記載の角材を連結樹立してなる塀。
【請求項３】
連結部材を、所定角度旋回して隣接配列した塀部材間に一定間隔の隙間を有するよう保持し、隣接する塀部材にそれぞれビス止めにて固定できるように構成したことを特徴とする請求項１又は２記載の角材を樹立してなる塀。
【請求項４】
連結部材を、隣接する塀部材の各隅角部にそれぞれビス止めにて固定するＬ字形の固定片と、この固定片間を連結固定する連結片とから構成したことを特徴とする請求項１、２又は３記載の角材を連結樹立してなる塀。
【請求項５】
連結部材を、隣接する塀部材の一側面にビス止めにて固定する固定片と、この固定片に対し、屈曲して連接し、隣接する他方の塀部材方向へ突出させるようにした連結片とをＬ字形に連結部材片を形成し、この２つの連結部材片を、互いにその背面側を添わせて固定して構成することを特徴とする請求項１、２又は３記載の角材を連結樹立してなる塀。
【発明の詳細な説明】
【０００１】
【発明の属する技術分野】
本発明は、角材を連結樹立してなる塀に関し、特に、角材の軸心を所定角度旋回させ、築造する塀ラインに沿って自立するようその下部を地中に埋設して配列配置し、互いに隣接する塀部材間を連結部材にて連結固定するようにした角材を連結樹立してなる塀に関するものである。
【０００２】
【従来の技術】
従来、枕木を所定間隔を空けて、或いは互いに接するように隣接樹立して構成する塀が、趣があるものとして採用されている。
この枕木を樹立して構成する塀は、枕木の下部を地中に埋設し、各枕木が自立するように配設している。
【０００３】
【発明が解決しようとする課題】
しかし、この従来の角材を樹立してなる塀においては、枕木をそのまま下部を埋設して樹立しているため、建物との間にあまり空間がない場合、或いは建物の建て面積が小なる場合には、枕木そのものを単に樹立しただけの塀では、嵩高く、頑丈すぎるものとなり、このため感じが重苦しくなり、さらにはコストが高くなると共に、また樹立した各枕木間が互いに連結されていないため、隣接樹立する枕木の間隔を一定に保ちにくく、不揃いになり易い欠点があり、さらには枕木は重量も重く、施工に手数が掛かると共に、築造してから年月の経過により、地盤などの弛み、枕木の不等沈下等が発生し、これがため樹立枕木の間隔が不揃いとなり、外観を損ねるという問題があった。
【０００４】
本発明は、従来の枕木を樹立した塀が有する問題点に着目し、施工性に優れ、かつ樹立する各角材の間隔を一定に保持し、出来上がりをスマートに、デザイン的にも優れた塀又は柵を簡易に築造できるようにした角材を連結樹立してなる塀を提供することを目的とする。
【０００５】
【課題を解決するための手段】
本発明の目的を達成するため、本発明の角材を連結樹立してなる塀は、角材よりなる塀部材を、築造する塀ラインに沿って自立するようその下部を地中に埋設して所定間隔で配列配設し、この配列する各塀部材の配列角度を塀築造ラインに対して所定角度旋回させるとともに、互いに隣接する塀部材間を連結部材にて連結固定して構成したことを特徴とする。
【０００６】
この角材を連結樹立してなる塀においては、角材よりなる各塀部材を、築造する塀ラインに沿い、かつ該塀ラインに対し所定角度旋回させて樹立するように所定間隔で配列配設し、互いに隣接する塀部材間を連結部材にて連結固定して構成しているから、隣接する塀部材の間隔を一定に保ち、簡易に施工することができると共に、塀ラインに対し各塀部材を所定角度旋回させているので、視認性に方向を持たせられるので、塀部材に対し一定角度しか内部が見えず、目隠し用として、またデザイン的に優れた塀を提供することができる。
【０００７】
この角材を連結樹立してなる塀において、塀部材に、枕木を使用し、縦方向に半割、もしくは四つ割りとすることができる。
【０００８】
塀部材に、縦方向に半割、もしくは四つ割りとした枕木を使用しているので、塀部材が従来の枕木側ものを使用する方法に比べ、部材の重量が軽減され、これにより施工性が向上し、外観をスマートに仕上げることができる。
【０００９】
また、この角材を連結樹立してなる塀において、連結部材を、所定角度旋回して隣接配列した塀部材間に一定間隔の隙間を有するよう保持し、隣接する塀部材にそれぞれビス止めにて固定できるように構成することができる。
【００１０】
所定角度旋回して隣接配列した塀部材間を、一定間隔の隙間を有するよう保持し、隣接する塀部材にそれぞれビス止めにて固定できるように連結部材を構成することにより、熟練を要することなく、隣接樹立する塀部材間を一定に保ち、かつ互いに連結されるため、施工性及び精度が向上し、経年による不等沈下などによる不揃いも生じることなく、長年にわたって、幾何学的な美しい形態を保持することができる。
【００１１】
また、角材を連結樹立してなる塀において、連結部材を、隣接する塀部材の各隅角部に固定するＬ字形の固定片と、固定片間を連結固定する連結片とから構成することができる。
【００１２】
Ｌ字形に形成した２つの固定片間を連結片にて連結固定するように連結部材を構成しているから、隣接塀部材間を強固に連結でき、構成及び製造も簡単で、多量生産に適し、安価に提供することができる。
【００１３】
また、角材を連結樹立してなる塀において、連結部材を、隣接する塀部材の一側面にビス止めにて固定する固定片と、この固定片に対し、屈曲して連接し、隣接する他方の塀部材方向へ突出させるようにした連結片とをＬ字形に連結部材片を形成し、この２つの連結部材片を、互いにその背面側を添わせて固定して構成することができる。
【００１４】
Ｌ字形に形成した２つの連結部材片を、それぞれ隣接する塀部材間に連結するように固定し、かつ互いにその背面側を添わせるように固定しているため、隣接塀部材の間隔を簡単に調整することができるので、容易に施工性及びデザイン性を向上させることができる。
【００１５】
【発明の実施の形態】
次に、本発明の角材を連結樹立してなる塀の実施の形態を、図面に基づいて説明する。
図１は、本発明の角材を連結樹立してなる塀を示す平面図、図２は、その正面図、図３は、連結部材をより解りやすくした外観斜視図、図４は、連結部材の異なる実施例を示す。
【００１６】
本発明の角材を連結樹立してなる塀は、図１〜図４に示すように、門扉（図示省略）などを取り付ける塀の開口部、例えば出入り口部には支柱２を配設し、この支柱に隣接するようにして角材よりなる塀部材１，１を、一定間隔で配列し、樹立し、かつ支柱２と塀部材１間、及び隣接する塀部材１，１間を連結部材３にて、互いに隣接する支柱２と塀部材１缶を連接固定し、恰も一体となるようにする。
なお、この場合支柱として使用される枕木は、１本の枕木をそのまま使用するものとし、これにより開口部分の強度を、門扉などを取り付けた場合でも、所定の強度を備えて、強度を増すようにする。
【００１７】
また、塀部材１は、枕木を縦方向に２つ割り、若しくは４つ割りにしたものを採用する。これは塀を施工する場所や周囲の状況などに応じて２つ割りのもの、４つ割り野茂のを選定する。なお、図示の実施例では、２つ割りのものを使用し、これにより、不必要に嵩高く、重苦しくなる雰囲気を避け、かつ１本の枕木よりも重量を軽減し、その施工性を向上することができる。
さらに、この塀部材１は、１本状の枕木と同じ長さを有しても良く、さらには枕木２よりも短く設定することもできる。
【００１８】
この塀部材１を用いて塀を施工する場合、地面ＧＬより所要の深さの溝状の掘削孔を掘削する。これは、塀を築造するラインに沿ってユンボ、その他の掘削機械或いは手堀で掘削する。この掘削孔の深度Ｌ２は、塀部材１が塀としての所定の自立強度を有するようにして定め、特に限定されるものではないが、通常の３０ｃｍ〜６０ｃｍ程度にその下部を埋設できるようにする。地面ＧＬより突出する塀部材の長さ（高さ）Ｌ１は、所要の高さとなるように設定する。なお、このとき、掘削穴の底部にはバラスを敷設、締め固めることもある。
掘削穴内に塀部材１を埋設する場合、各塀部材１を軸心方向に旋回、すなわち塀築造するラインに対し、各塀部材１の側面がある一定の角度をなすようにする。この旋回角度αは、限定されるものではないが、通常２５度から４５度程度の範囲で設定し、図示の実施例では３０度とした。
このように、各塀部材１を塀築造するラインに対し側面が一定の角度αをなすよう長手軸心を旋回させて配設することにより、塀の見かけ上の厚さを増し、かつ一定の視角を越える角度では、隙間から内部を透視することができないようになる。
【００１９】
塀を築造するラインに沿って所定の間隔Ｗ、例えば３ｃｍ〜７ｃｍ程度、望ましくは５ｃｍ程度の隙間を空けて塀部材１を隣接して配列するとともに、出入り口となる塀の開口部には、支柱２を配設自立させる。この支柱２は枕木をそのまま使用することにより、開口部の重厚感を増すものとなる。
【００２０】
この所定の隙間（間隔）を空けて隣接配設する塀部材１，１間を、連結部材３，３を用いて連結する。この連結部材３は、塀部材１の高さに応じて１本の塀部材１に対し、少なくとも１つを取り付けるもので、図示の実施例では１本の塀部材１の上部位置と、下部位置の２カ所に２つ配設したものである。
また、この連結部材３としては、例えば、図３又は図４に示すようなものを採用するが、作用が同じであれば、これに限定されずに図示以外の構成のものを採用することもできる。
【００２１】
図３に示す連結部材３は、Ｌ字形に形成した固定片３Ａ，３Ｂを互いにその屈曲部を対向するように配設し、この２つの固定片３Ａ，３Ｂの対向する背面間に掛け渡すように丸棒状又はパイプ状の連結片３Ｃを配設し、この連結片３Ｃの先端を固定片３Ａ，３Ｂの背面に溶着などにて固定し、一体として構成したものである。
この連結片３Ｃの長さは、隣接する塀部材の所定の間隔Ｗとなるようにして定めるものとする。
また、この２つの固定片３Ａ，３Ｂは、同じ形状のものを使用し、鉄板若しくは所要の強度を備えた板材をＬ字形に屈曲したもの、或いはチャンネル材を所定の寸法、例えば１０ｃｍの長さに切断したものを使用する。そして固定片３Ａを形成するほぼ９０度に屈曲して連接される側片３１，３２及び固定片３Ｂを形成するほぼ９０度に屈曲して連接される側片３３，３４には、塀部材１の側面にビス止めするためのビス孔３１ｈ，３２ｈ，３３ｈ，３４ｈを穿設する。
【００２２】
なお、Ｌ字形に連接して形成される側片３１と３２及び側片３３と３４に穿設されるビス孔３１ｈと３２ｈ、及びビス孔３３ｈと３４ｈとは、図３（Ａ）に示すように、その穿設位置を変えることにより、ビス孔３１ｈと３２ｈから、またビス孔３３ｈと３４ｈからそれぞれねじ込まれるビスＢ，Ｂが互いに衝突しないようにする。
なお、ビス孔３１ｈ，３２ｈ，３３ｈ，３４ｈを皿孔とすることもできる。
【００２３】
また、支柱２と塀部材１との連結部材として、図３（Ａ）に示すものも採用することができるが、例えば、図１に示すように、支柱２と塀部材１との間の形状が、塀部材１，１間の形状と異なる場合には、連結部材として、図３（Ｂ）に示す連結部材３０を採用することができる。
この連結部材３０は、一方の固定片３Ａは、図３（Ａ）に示すものと同じものを使用し、他方の固定片３Ｂの代わりに平板状の固定片３Ｄを採用する。そしてこの固定片３Ａの背面と平板状の固定片３Ｄ間を所要の長さを有する連結片３Ｃにて連結するようにして一体とする。この固定片３Ａと平板状の固定片３Ｄとのなす角度は、隣接は一する支柱２と塀部材１とのなす角度と合わせるようにして設定する。
この固定片３Ｃにもビス孔ｈ，ｈが穿設される。
【００２４】
このように隣接配置される支柱２，塀部材１間、及び塀部材１，１間は、上述の連結部材３，３０にて連接することにより、隣接塀部材の間隔が確実に一定を保ち、さらには塀築造するラインに対し塀部材１の側面が一定の角度をなすよう長手軸心を旋回させて配設することができ、特別な技術や熟練を要することなく、角度、間隔が保持され、精度の良い塀を簡易に築造することができる。
【００２５】
また、図４に示すものは、連結部材３の異なる実施例で、隣接する塀部材１の一側面にビス止めにて固定する固定片３５と、この固定片３５に対し、屈曲して連接し、隣接する他方の塀部材方向へ突出させるようにした連設片３６とをＬ字形に連結部材片３Ｅを形成し、この２つの連結部材片３Ｅ，３Ｅを、互いにその連結部材片３Ｅの背面側を添わせて固定して連結部材４を構成するものである。この２つの連結部材片３Ｅ，３Ｅの背面の固定は、図示の実施例ではビス又はボルトナットにて固定するようにしているが、スポット溶接等にて溶着固定とすることもでき、この固定方法は限定されるものではない。
【００２６】
なお、Ｌ字形に形成する固定片３５と、この固定片３５に対し屈曲して連接する設片３６とには、それぞれ塀部材にビス止めできるようにビス孔３５ｈ，３６ｈを穿設するとともに、２つの連結部材片３Ｅ，３Ｅの背面側を添わせて固定するためのビス孔３７を穿設する。このビス孔３７は、少なくとも一方の連結部材片３Ｅのビス孔３７を長孔とすることにより、ビスによる固定位置を調整できるようになり、隣接する塀部材の隙間を現場似合わせて調整して固定することもできる。
【００２７】
以上、本発明の角材を連結樹立してなる塀について、その実施例に基づいて説明したが、本発明は上記実施例に記載した構成に限定されるものではなく、連結部材３，３０及び４の各固定片の形状を、例えば半円形、ハート形、その他の象形状とすることもでき、さらには同じ構成で柵として使用するもの等、その趣旨を逸脱しない範囲において適宜その構成を変更することができるものである。
【００２８】
【発明の効果】
本発明の角材を連結樹立してなる塀によれば、角材よりなる各塀部材を、築造する塀ラインに沿い、かつ該塀ラインに対し所定角度旋回させて樹立するように所定間隔で配列配設し、互いに隣接する塀部材間を連結部材にて連結固定して構成しているから、隣接する塀部材の間隔を一定に保ち、簡易に施工することができると共に、塀ラインに対し各塀部材を所定角度旋回させているので、視認性に方向を持たせられるので、塀部材に対し一定角度しか内部が見えず、目隠し用として、またデザイン的に優れた塀を提供することができる。
【００２９】
また、請求項２記載の発明によれば、塀部材に、縦方向に半割、もしくは四つ割りとした枕木を使用しているので、塀部材が従来の枕木側ものを使用する方法に比べ、部材の重量が軽減され、これにより施工性が向上し、外観をスマートに仕上げることができる。
【００３０】
また、請求項３記載の発明によれば、所定角度旋回して隣接配列した塀部材間を、一定間隔の隙間を有するよう保持し、隣接する塀部材にそれぞれビス止めにて固定できるように連結部材を構成することにより、熟練を要することなく、隣接樹立する塀部材間を一定に保ち、かつ互いに連結されるため、施工性及び精度が向上し、経年による不等沈下などによる不揃いも生じることなく、長年にわたって、幾何学的な美しい形態を保持することができる。
【００３１】
また、請求項４記載の発明によれば、Ｌ字形に形成した２つの固定片間を連結片にて連結固定するように連結部材を構成しているから、隣接塀部材間を強固に連結でき、構成及び製造も簡単で、多量生産に適し、安価に提供することができる。
【００３２】
また、請求項５記載の発明によれば、Ｌ字形に形成した２つの連結部材片を、それぞれ隣接する塀部材間に連結するように固定し、かつ互いにその背面側を添わせるように固定しているため、隣接塀部材の間隔を簡単に調整することができるので、容易に施工性及びデザイン性を向上させることができる。
【図面の簡単な説明】
【図１】本発明の角材を連結樹立してなる塀の一実施例を示す平面図で、（Ａ）は塀の全景を示す平面図、（Ｂ）は塀部材間を連結する連結部材部分を示す拡大平面図、（Ｃ）は支柱と塀部材間を連結する連結部材部分を示す拡大平面図である。
【図２】正面図である。
【図３】連結部材を示し、（Ａ）は塀部材間を連結する連結部材の外観斜視図、（Ｂ）は支柱と塀部材間を連結する連結部材の外観斜視図である。
【図４】連結部材の異なる実施例を示し、（Ａ）は塀部材間を連結する連結部材部分を示す拡大平面図、（Ｂ）は外観斜視図である。
【符号の説明】
１　　　　　塀部材
２　　　　　支柱
３，３０　　連結部材
３Ａ，３Ｂ　固定片
３Ｃ　　　　連結片
３Ｄ　　　　固定片
３Ｅ　　　　連結部材片
３１〜３４　側片
３５　　　　固定片
３６　　　　連設片
３７　　　　ビス孔
３１ｈ〜３４ｈ，ｈ　ビス孔
４　　　　　連結部材
Ｗ　　　　　隣接する塀部材の所定の間隔
Ｂ　　　　　取付ビス
【図１】
2004076543.tif 000003
【図２】
2004076543.tif 000004
【図３】
2004076543.tif 000005
【図４】
2004076543.tif 000006